(57)【要約】【課題】ペン軸の正しい把持の仕方を修得するのに有効なペンを提供する。【解決手段】ペン軸１の前端部外周面に，筆記者の人指し指Ｆ１の先端腹部をあてがう第１規制凹部５と，中指Ｆ２の先端部側面をあてがう第２規制凹部６と，これら第１及び第２規制凹部６よりペン軸１の後端側にオフセットしていて親指Ｆ３の先端腹部をあてがう第３規制凹部７とをペン軸１の周方向に沿って略等間隔に形成し，第１規制凹部５は，ペン軸１の後方に向かって第３規制凹部７から離れるようにペン軸１の軸線周りに捩じれながら浅くなっている。【選択図】      図６
2007190843.tif 000002
【特許請求の範囲】
【請求項１】
ペン軸（１）の前端部外周面に，筆記者の人指し指（Ｆ１）の先端腹部をあてがう第１規制凹部（５）と，中指（Ｆ２）の先端部側面をあてがう第２規制凹部（６）と，これら第１及び第２規制凹部（５，６）よりペン軸（１）の後端側にオフセットしていて親指（Ｆ３）の先端腹部をあてがう第３規制凹部（７）とをペン軸（１）の周方向に沿って略等間隔に形成し，前記第１規制凹部（５）は，ペン軸（１）の後方に向かって前記第３規制凹部（７）から離れるようにペン軸（１）の軸線周りに捩じれながら浅くなっていることを特徴とするペン。
【請求項２】
請求項１記載のペンにおいて，
前記第３規制凹部（７）より前方のペン軸（１）に，前方に向かって開放する半楕円形のマーク（１０）を表示し，ペン軸（１）の紙面に対する角度が適正であるとき，筆記者側から見て前記マーク（１０）が略直線状に見えるようにしたことを特徴とするペン。
【請求項３】
請求項１又は２記載のペンにおいて，
ペン軸（１）を前端側の前軸半体（１Ａ）と後端側の後軸半体（１Ｂ）との分割すると共に，これら両半体（１Ａ，１Ｂ）を，それぞれに嵌合するガイド部材（１２）を介して連結し，このガイド部材（１２）には，前記両半体（１Ａ，１Ｂ）に係合して両半体（１Ａ，１Ｂ）相互の位相を規制する位置決め突起（１３ａ，１３ｂ）を設けたことを特徴とするペン。
【発明の詳細な説明】
【技術分野】
【０００１】
本発明は，万年質やボールペン，シャープペン等のペンに関し，特に筆記者が硬筆習字に際してペン軸の正しい把持の仕方を修得するのに有効なペンに関する。
【背景技術】
【０００２】
従来，ペン軸の筆圧を安定させたり，疲労の軽減を図るべく，ペン軸の断面形状を非円形にしたものは，例えば下記特許文献１に開示されるように既に知られている。しかしながら，硬筆習字に当たっては，先ずペン軸を正しく把持することが肝要であるところ，その正しい把持の仕方を教習，修得させるペンは，これまで見当たらない。
【特許文献１】特開平２００３−１７０６９５号公報
【発明の開示】
【発明が解決しようとする課題】
【０００３】
そこで本発明は，筆記者が硬筆習字に際してペン軸の正しい把持の仕方を修得するのに有効なペンを提供することを目的とする。
【課題を解決するための手段】
【０００４】
上記目的を達成するために，本発明は，ペン軸の前端部外周面に，筆記者の人指し指の先端腹部をあてがう第１規制凹部と，中指の先端部側面をあてがう第２規制凹部と，これら第１及び第２規制凹部よりペン軸の後端側にオフセットしていて親指の先端腹部をあてがう第３規制凹部とをペン軸の周方向に沿って略等間隔に形成し，前記第１規制凹部は，ペン軸の後方に向かって前記第３規制凹部から離れるようにペン軸の軸線周りに捩じれながら浅くなっていることを第１の特徴とする。
【０００５】
また本発明は，第１の特徴に加えて，前記第３規制凹部より前方のペン軸に，前方に向かって開放する半楕円形のマークを表示し，ペン軸の紙面に対する角度が適正であるとき，筆記者側から見て前記マークが略直線状に見えるようにしたことを第２の特徴とする。
【０００６】
さらに本発明は，第１又は第２の特徴に加えて，ペン軸を前端側の前軸半体と後端側の後軸半体との分割すると共に，これら両半体を，それぞれに嵌合するガイド部材を介して連結し，このガイド部材には，前記両半体に係合して両半体相互の位相を規制する位置決め突起を設けたことを第３の特徴とする。
【発明の効果】
【０００７】
本発明の第１の特徴によれば，筆記者は，ペン軸の第１規制凹部に人指し指の先端腹部をあてがい，第２規制凹部に中指の先端部側面をあてがい，第３規制凹部に親指の先端腹部をあてがうことにより，ペン軸を正しく把持することができ，硬筆習字の上達が促進される。
【０００８】
しかも，人指し指をあてがう第１規制凹部は，ペン軸の後方に向かって第３規制凹部から離れるようにペン軸の軸線周りに捩じれながら浅くなっているから，第１規制凹部に人指し指が自然に馴染むのみならず，筆記者の手の大きさが変わっても，その人指し指を第１規制凹部に違和感無く，且つ正しくあてがうことができる。
【０００９】
本発明の第２の特徴によれば，筆記の際に，正しく把持したペン軸の前端部外周面の半楕円形のマークが，筆記者側から略直線状に見えるように，ペン軸の姿勢を調整することにより，ペン軸の紙面に対する角度が正しく規制することができ，筆記をスムーズに行うことができて硬筆習字の上達が更に促進される。
【００１０】
本発明の第３の特徴によれば，ペン軸は複雑な形状をなしていても，これを前軸半体及び後軸半体に分割することで，これらを合成樹脂により容易に成形することができ，しかもこれら前軸及び後軸半体を，位置決め突起を持ったガイド部材を介して正規の位相関係に連結するので，ペン軸を誤組立することなく，能率良く製造することができる。
【発明を実施するための最良の形態】
【００１１】
本発明の実施の形態を，添付図面に示す本発明の好適な実施例に基づいて以下に説明する。
【００１２】
図１は本発明の実施例に係るボールペンの正面図，図２は図１の２矢視図，図３は図１の３矢視図，図４は図２の４矢視図，図５は図３の５−５線断面図，図６は図３の６−６線拡大断面図，図７は同ボールペンの把持要領を示す，親指側から見た斜視図，図８は同ボールペンの把持要領を示す，人指し指側から見た斜視図，図９は同ボールペンの姿勢調整要領を示す斜視図である。
【００１３】
先ず図１〜図６において，本発明を実施したボールペンＰは，合成樹脂製のペン軸１と，このペン軸１の前端部に取り付けられるキャップ２と，このキャップ２に支持されるボールペン先３と，このボールペン先３の後端に取り付けされてインクを貯留しなながらペン軸１内に挿入される可撓性のペン芯４とから構成される。
【００１４】
図１〜図４，図７及び図８に示すように，ペン軸１の前端部外周面には，筆記者の人指し指Ｆ１の先端腹部をあてがう第１規制凹部５と，中指Ｆ２の先端部側面をあてがう第２規制凹部６と，これら第１及び第２規制凹部５，６よりペン軸１の後端側にオフセットしていて親指Ｆ３の先端腹部をあてがう第３規制凹部７とがペン軸１の周方向に沿って略等間隔に形成され，その際，第１規制凹部５は，ペン軸１の後方に向かって第３規制凹部７から離れるようにペン軸１の軸線周りに捩じれながら浅くなっている。
【００１５】
またペン軸１の後半部には，筆記者の人指し指Ｆ１の基部側面が当たる，ペン軸１の周方向の曲率が小さい支持面８が形成されると共に，この支持面８と反対側には抉り面９が形成され，これら支持面８及び抉り面９とで，ペン軸１の後半部はヘラ状に形成される。
【００１６】
図１〜図３及び図９に明示するように，さらに第３規制凹部７より前方のペン軸１には，前方に向かって開放する半楕円形のマーク１０が表示され，図示例の場合，そのマーク１０を境にして前部が後部より一段下がるように形成される。このマーク１０は，ペン軸１の紙面に対する角度が適正であるとき，筆記者の視線Ｌにマーク１０が略直線状に並ぶようになっている。即ち，筆記者は，マーク１０を略直線状に見ることになる。
【００１７】
図３，図５及び図６において，上記ペン軸１は，合成樹脂を素材とする射出成形を容易にすべく，キャップ２側即ち前端側の前軸半体１Ａと，後端側の後軸半体１Ｂとに分割され，これら半体１Ａ，１Ｂは，それぞれに圧入されるガイド部材１２を介して相互に一体に連結される。このガイド部材１２の外周面には幅広の第１位置決め突起１２ａと幅狭の第２位置決め突起１２ｂとが互いに反対側を向くよう一体に形成されており，これらを前軸及び後軸半体１Ａ，１Ｂの内周面に形成された幅広の第１位置決め溝１３ａ，１３ａと幅狭の第２位置決め溝１３ｂ，１３ｂとに係合することにより，前軸及び後軸半体１Ａ，１Ｂは互いに正規の位相関係に連結される。
【００１８】
またガイド部材１２は，前軸半体１Ａの前端面より突出したねじ軸１２ｓを備えており，これに前記キャップ２が螺合される。こうしてキャップ２はペン軸１の前端部に取り付けられる。
【００１９】
上記ガイド部材１２及び後軸半体１Ｂには，前記ペン芯４が挿入される一連のガイド孔１４が形成され。このガイド孔１４は，後軸半体１Ｂにおいてペン芯４の後端を受け止めるように行き止まりとなっている。またこのガイド孔１４は，ペン軸１の形状から多少屈曲していてもよく，この場合，可撓性のペン芯４は撓むことで，屈曲したガイド孔１４への挿入が可能となる。
【００２０】
次に，この実施例の作用について説明する。
【００２１】
本発明のボールペンＰを使用して硬筆習字を行う際，筆記者は，図７及び図８に示すように，ペン軸１の第１規制凹部５に筆記者の人指し指Ｆ１の先端腹部をあてがい，第２規制凹部６に中指Ｆ２の先端部側面をあてがい，第３規制凹部７に親指Ｆ３の先端腹部をあてがうことにより，ペン軸１を把持する。その際，第１〜第３規制凹部５〜７は，ペン軸１の周方向に沿って略等間隔に形成され，且つ第３規制凹部７は，第１及び第２規制凹部５，６よりペン軸１の後端側にオフセットしているので，上記により筆記者はペン軸１を正しく把持することができ，硬筆習字の上達が促進される。
【００２２】
また人指し指Ｆ１をあてがう第１規制凹部５は，ペン軸１の後方に向かって第３規制凹部７から離れるようにペン軸１の軸線周りに捩じれながら浅くなっているから，第１規制凹部５に人指し指Ｆ１が自然に馴染むのみならず，筆記者の手の大きさが変わっても，その人指し指Ｆ１を第１規制凹部５に違和感無く，且つ正しくあてがうことができる。
【００２３】
しかも筆記の際には，図９に示すように，正しく把持したペン軸１の前端部外周面の半楕円形のマーク１０が，筆記者側から略直線状に見えるように，ペン軸１の姿勢を調整すれば，ペン軸１の紙面に対する角度が正しいものとなり，筆記をスムーズに行うことができて硬筆習字の上達が更に促進される。
【００２４】
筆記中，筆記者の人指し指Ｆ１の基部側面は，ペン軸１の後半部の，周方向の曲率が小さい支持面８に当接することになるから，人指し指Ｆ１の基部側面の面圧を低く抑えることができ，筆記中の疲労軽減に寄与し得る。
【００２５】
しかも，上記支持面８と反対側のペン軸１には抉り面９が形成されるので，この抉り面９の深さの大小によりペン軸１の重心を自由に設定することができる。
【００２６】
またペン軸１は，前記第１〜第３規制凹部５〜７，並びに支持面８及び抉り面９を備えた複雑な形状をなしていても，これを前軸半体１Ａ及び後軸半体１Ｂに分割して成形するので，これらを合成樹脂を素材として容易に射出成形することができ，しかもこれら前軸及び後軸半体１Ａ，１Ｂを，第１及び第２位置決め突起１２ａ，１２ｂを持ったガイド部材１２を介して正規の位相関係に連結するので，ペン軸１を誤組立することなく，能率良く製造することができる。
【００２７】
以上，本発明の実施例について説明したが，本発明はそれに限定されることなく，その要旨を逸脱しない範囲で種々の設計変更が可能である。例えば本発明は，万年筆やシャープペンにも実施することができる。
【図面の簡単な説明】
【００２８】
【図１】本発明の実施例に係るボールペンの正面図である。
【図２】図２は図１の２矢視図である。
【図３】図１の３矢視図である。
【図４】図２の４矢視図である。
【図５】図３の５−５線断面図である。
【図６】図３の６−６線拡大断面図である。
【図７】同ボールペンの把持要領を示す，親指側から見た斜視図である。
【図８】同ボールペンの把持要領を示す，人指し指側から見た斜視図である。
【図９】同ボールペンの姿勢調整要領を示す斜視図である。
【符号の説明】
【００２９】
Ｆ１・・・・人指し指
Ｆ２・・・・中指
Ｆ３・・・・親指
Ｐ・・・・・ペン（ボーペン）
１・・・・・ペン軸
１Ａ・・・・前軸半体
１Ｂ・・・・後軸半体
５・・・・・第１規制凹部
６・・・・・第２規制凹部
７・・・・・第３規制凹部
１０・・・・マーク
１２ａ，１２ｂ・・・位置決め突起
【図１】
2007190843.tif 000003
【図２】
2007190843.tif 000004
【図３】
2007190843.tif 000005
【図４】
2007190843.tif 000006
【図５】
2007190843.tif 000007
【図６】
2007190843.tif 000008
【図７】
2007190843.tif 000009
【図８】
2007190843.tif 000010
【図９】
2007190843.tif 000011